(57)【要約】【課題】動物の尾の切断に使用される加熱式切断器において、電源コードが無く、軽い把持部を、動き回る動物の尾の所に持って行き、素早く切断すると共に、加熱刃を容易に交換できることを目的とする。【解決手段】加熱刃４と刃受け部５が鋏状に開閉して、動物の尾が切断し易くし、加熱刃４と電気ヒータ２５を一体にして着脱自在とし、加熱刃４が容易に交換でき、蓄電池１０を電源にすることにより、作業効率が向上した、動物用断尾器が得られる。【選択図】図３
2006109887.tif 000002
【特許請求の範囲】
【請求項１】
動物の尾などを加熱しつつ切断する動物用断尾器であって、ヒータと、互いに枢支されて鋏状に開閉する第１レバー及び第２レバーと、上記第１レバーの先端に設けられ、鋭利な刃先を有するとともに上記ヒータによって加熱される加熱刃と、上記第２レバーの先端に設けられ、上記加熱刃に略対向して閉動作時に上記加熱刃を受ける刃受け部と、上記第１レバー及び上記第２レバーの基端側にそれぞれ設けられ、これらを開閉させるための第１握り部及び第２握り部とを備えたことを特徴とする動物用断尾器。
【請求項２】
第１握り部は筒状体であり、その内部に筒状の鞘体を備え、加熱刃とヒータとが略直線状に配設された状態で上記鞘体に格納され、上記鞘体は、上記加熱刃と上記ヒータとを格納した状態で、上記第１握り部の基端側からの挿脱によって着脱自在となっていることを特徴とする請求項１記載の動物用断尾器。
【請求項３】
閉動作時に上記加熱刃を背面から支持するカッターガイドを備え、力のかかる加熱刃を反対側から押さえていることを特徴とする請求項１または請求項２記載の動物用断尾器。
【請求項４】
加熱刃とヒータは、コネクタを介して着脱自在となっていることを特徴とする請求項１または請求項２記載の動物用断尾器。
【請求項５】
加熱刃近傍に、所定温度に達すると変色し、所定温度以下になると元の色に戻る可逆性サーモラベルを貼り付けたことを特徴とする請求項１または請求項２記載の動物用断尾器。
【請求項６】
第１握り部の一部に、断熱性と摩擦性を有したグリップを被覆したことを特徴とする請求項１または請求項２記載の動物用断尾器。
【請求項７】
ヒータを電気ヒータとし、電源を電池とし、電池と本体とをコネクタにより接続し、電池にクリップを設けたことを特徴とする請求項１〜６いずれかに記載の動物用断尾器。
【請求項８】
電池から電源を供給するコードに入・切スイッチを設けたことを特徴とする請求項７記載の動物用断尾器。
【請求項９】
上記加熱刃の温度を検出する温度検出手段と、上記加熱刃を所定の温度に制御する加熱刃温度制御手段を備えた請求項７または請求項８記載の動物用断尾器。
【発明の詳細な説明】
【技術分野】
【０００１】
本発明は、動物の尾などの切断に使用される加熱式切断器に関する。
【背景技術】
【０００２】
従来、この種の動物用断尾器は、電熱ヒーターで挟んで固着した一対の加熱刃を設け、加熱刃先端が閉合できるように加熱刃取付部の長手先端部で回転軸によって固定されたものが知られている（例えば、特許文献１参照）。
【０００３】
以下、その動物用断尾器について図７および図８を参照しながら説明する。
【０００４】
図に示すように、一方に把持部１０１を、他方に加熱刃取付部１０２を設け、加熱刃取付部１０２に加熱刃１０３と電熱ヒーター１０４を固着した一対の本体１０６を、加熱刃取付部１０２の先端部において回転軸１０７によって固定し、加熱刃１０３の間に尾や翼を挟み、閉じると、切断されると共に、その熱によって傷口を止血・消毒している。
【０００５】
また、この種の動物用断尾器には、受具に尾を載置し、５００℃〜７５０℃に加熱した切断刃を下方に移動して、尾を切断するものもある（例えば、特許文献２参照）。
【特許文献１】実開昭５０−１１６１８４号公報
【特許文献２】特開昭５４−４７７１号公報
【発明の開示】
【発明が解決しようとする課題】
【０００６】
このような従来の動物用断尾器では、回転軸が外側にあるため、動き回る動物の尾を内側から挟まなければならず、すばやく断尾作業ができないという課題があった。
【０００７】
また、加熱刃が消耗したときや各種の動物の尾の違いにより加熱刃の形状を変えたいときに、容易に交換できないという課題があった。
【０００８】
断尾作業は広範囲でおこなうため、従来の商用電源を用いる方法では、電源コードの長さにより作業範囲が限定されたり、延長ケーブルによりケーブルを引き回さなくてはならないという課題があった。
【０００９】
さらに、加熱刃の温度が判り難く使用状態の判断ができなかったり、把持部を握る時、滑って握り難かったり、緊急時に電源を直ぐに切りたいときに電源プラグを抜かなければ電源が切れないという課題があった。
【００１０】
本発明は、このような従来の課題を解決するものであり、動き回る動物の尾を素早く切断することができ、かつ、加熱刃を容易に交換することができる動物用断尾器を提供することを目的としている。
【００１１】
また、使用状態が目視で確認でき、広範囲の断尾作業が可能となり、緊急時に電源を直ぐに切ることのできる動物用断尾器を提供することを目的としている。
【課題を解決するための手段】
【００１２】
請求項１記載の本発明は、ヒータと、互いに枢支されて鋏状に開閉する第１レバー及び第２レバーと、上記第１レバーの先端に設けられ、鋭利な刃先を有するとともに上記ヒータによって加熱される加熱刃と、上記第２レバーの先端に設けられ、上記加熱刃に略対向して閉動作時に上記加熱刃を受ける刃受け部と、上記第１レバー及び上記第２レバーの基端側にそれぞれ設けられ、これらを開閉させるための第１握り部及び第２握り部とを備えたことを特徴とする。
【００１３】
請求項２記載の本発明は、第１握り部は筒状体であり、その内部に筒状の鞘体を備え、加熱刃とヒータとが略直線状に配設された状態で上記鞘体に格納され、上記鞘体は、上記加熱刃と上記ヒータとを格納した状態で、上記第１握り部の基端側からの挿脱によって着脱自在となっていることを特徴とする。
【００１４】
請求項３記載の本発明は、閉動作時に上記加熱刃を背面から支持するカッターガイドを備え、力のかかる加熱刃を反対側から押さえていることを特徴とする。
【００１５】
請求項４記載の本発明は、加熱刃とヒータは、コネクタを介して着脱自在となっていることを特徴とする。
【００１６】
請求項５記載の本発明は、加熱刃近傍に、所定温度に達すると変色し、所定温度以下になると元の色に戻る可逆性サーモラベルを貼り付けたことを特徴とする。
【００１７】
請求項６記載の本発明は、第１握り部の一部に、断熱性と摩擦性を有したグリップを被覆したことを特徴とする。
【００１８】
請求項７記載の本発明は、ヒータを電気ヒータとし、電源を電池とし、電池と本体とをコネクタにより接続し、電池にクリップを設けたことを特徴とする。
【００１９】
請求項８記載の本発明は、電池から電源を供給するコードに入・切スイッチを設けたことを特徴とする。
【００２０】
請求項９記載の本発明は、加熱刃の温度を検出する温度検出手段と、加熱刃を所定の温度に制御する加熱刃温度制御手段を備えたことを特徴とする。
【発明の効果】
【００２１】
本発明によれば軽く、使い易く、素早く断尾することができるため、女性でも簡単に断尾作業をおこなうことができるという効果がある。
【００２２】
また、刃先部を工具なしで容易に交換できるという効果がある。
【００２３】
また、電源コードを引き回す必要がないため携帯性が良く、広範囲で断尾作業ができるという効果がある。
【００２４】
また、加熱刃の温度が所定温度に到達したかが判り、使用状態を目視で判断することができるという効果がある。
【００２５】
また、本発明によれば把持部を握った時、滑り難く、熱くないため、作業効率が向上するという効果がある。
【００２６】
また、作業をしない時の電池の消耗を無くし、異常時の安全対策として直ぐに電源をＯＦＦすることができるという効果がある動物用断尾器を提供できる。
【００２７】
また、切断時の加熱刃の適切な温度は切断部位により異なるので、加熱刃の温度制御を行うことによって、作業しやすく、適切な温度で切断作業ができる動物用断尾器を提供できる。
【発明を実施するための最良の形態】
【００２８】
本発明の動物用断尾器は上記目的を達成するために、ヒータと、互いに枢支されて鋏状に開閉する第１レバー及び第２レバーと、上記第１レバーの先端に設けられ、鋭利な刃先を有するとともにヒータによって加熱される加熱刃と、上記第２レバーの先端に設けられ、上記加熱刃に略対向して閉動作時に上記加熱刃を受ける刃受け部と、上記第１レバー及び上記第２レバーの基端側にそれぞれ設けられ、これらを開閉させるための第１握り部及び第２握り部とを設けたものである。
【００２９】
この手段により、動き回る動物の尾を素早く加熱刃によって切断できるという動物用断尾器が得られる。
【００３０】
また、第１握り部は筒状体であり、その内部に筒状の鞘体を備え、加熱刃と電気ヒータとが略直線状に配設された状態で上記鞘体に格納され、上記鞘体は、上記加熱刃と上記電気ヒータとを格納した状態で、上記第１握り部の基端側から挿抜できるようコネクタを設けたものである。
【００３１】
この手段により、刃先部が着脱自在となり、工具なしで容易に交換できるという動物用断尾器が得られる。
【００３２】
また、閉動作時に上記加熱刃を背面から支持するカッターガイドを備え、上記カッターガイドは、力のかかる加熱刃を反対側から押さえる構成にしたものである。
【００３３】
この手段により、把持した力を確実に加熱刃に印加でき、かつ、力を加え過ぎても加熱刃が変形し難いという動物用断尾器が得られる。
【００３４】
また、加熱刃近傍に、所定温度に達すると変色し、所定温度以下になると元の色に戻る可逆性サーモラベルを貼り付けたものである。
【００３５】
この手段により、加熱刃が所定温度に到達し、作業可能かどうか一目で分るため、作業効率が向上するという動物用断尾器が得られる。
【００３６】
また、第１握り部の一部に、断熱性と摩擦性を有したグリップを被覆したものである。
【００３７】
この手段により、把持部を握った時、滑り難く、熱くないので、作業効率が向上するという動物用断尾器が得られる。
【００３８】
また、電気ヒータに供給する電源を電池とし、電池にはクリップを設けたものである。
【００３９】
この手段により、電源コードが不要となり、広範囲で断尾作業ができる動物用断尾器が得られる。
【００４０】
また、重い電池はクリップをベルトなどに掛けられるため、把持部は電源が無く軽量となり、作業が簡単で安全におこなえる。
【００４１】
また、電池から電源を供給するコードに入・切スイッチを設けたものである。
【００４２】
この手段により、作業をしない時の電池の消耗を無くし、異常時の安全対策として緊急に電源をＯＦＦすることができる動物用断尾器が得られる。
【００４３】
請求項９記載の本発明は、加熱刃の温度を検出する温度検出手段と、加熱刃を所定の温度に制御する加熱刃温度制御手段を備えたことを特徴とする。
【００４４】
この手段により、切断時の加熱刃の温度を適切な温度に制御することができる。
【００４５】
以下、本発明の実施の形態について図面を参照しながら説明する。
【００４６】
（実施の形態１）
図１および図２に示すように、加熱刃４を備えた第１レバー２と、刃受け部５を備えた第２レバー３が軸６を中心にこれらが開閉できる把持部１を構成し、第１レバー２の第１握り部２′と第２レバー３の第２握り部３′はバネ（図示せず）により、通常は開となるように構成されている。第1握り部２′には、グリップ７を被せたものとする。グリップ７は耐熱性および摩擦性を有する素材であり、例えばウレタンゴムなどを使用する。加熱刃４は、電源を供給するコード９と入・切スイッチ８を備えている。また、コード９の先端には電池側コネクタ１２が設けられている。
【００４７】
一方、クリップ１１を設けた蓄電池１０の電源側には電池コネクタ受け１３を設けておく。クリップ１１をバンドなどに掛け、蓄電池１０をハンドフリーで保持し、電池側コネクタ１２と着脱自在の電池コネクタ受け１３に接続する。
【００４８】
図３は第１レバー２に挿入する鞘体を示し、コード９を保護するコードブッシング１４とコード９に接続されたヒータ側コネクタ受け１６を内蔵したヒータカバー１７と、ヒータ側コネクタ受け１６と着脱自在の刃先部１８と、カッターガイド２０と、それらを固定するためのキャップ２１で構成されている。
【００４９】
図４は図３の鞘体を構成する部品を鳥瞰したもので、ヒータカバー１７の刃先部１８を挿入する側にオネジを設け、ヒータカバー１７のオネジ側にヒータカバー１７の長手方向に突起２２を設け、刃先部１８の固定金具２４およびカッターガイド２０に溝２３を設けておき、突起２２と各溝２３を勘合させて、内径側にメネジを設けた略筒状のキャップ２１をヒータカバー１７のオネジに捻じ込んで、鞘体を完成させる。
【００５０】
図５は刃先部１８を示し、電気ヒータ２５を圧入したヒータ埋込鞘２６と、ヒータ埋込鞘２６にかしめられた鋭利な刃先を有する加熱刃４と、ヒータ埋込鞘２６にロー付された固定金具２４と、電気ヒータ２５につながるヒータ線２７はヒータ側コネクタ１５に接続されており、ヒータ埋込鞘２６とヒータ側コネクタ１５に露出するヒータ線２７を保護するため保護チューブ２８を被せておく。
【００５１】
上記構成により、本実施形態の動物用断尾器は、加熱刃４を備えた鞘体を第１レバー２に挿入し、固定ねじ２９により固定をおこなう。
【００５２】
電源を投入すると、加熱刃４内の電気ヒータ２５に通電され、加熱刃４の温度が上昇する。このとき、第１レバーの反基端側に貼り付けられたサーモラベル１９により、加熱刃４が所定温度以上に到達したことが目視できる。加熱刃４が所定温度以上に到達した時、加熱刃４と刃受け部５の間を、動物の尾の切断箇所に持って行き、第１レバー２の第１握り部２′に被せたグリップ７と第２レバー３の第２握り部３′を把持すると加熱刃４と刃受け部５が閉となり、動物の尾が切断されると共に、加熱刃４の熱で止血・消毒される。
【００５３】
図６はカッターガイド２０と刃先部１８の取付詳細を示す断面図であり、カッターガイド２０の先端側上方および下方に刃先部１８の加熱刃４及びヒータ埋込鞘２６を支持するガイド３０を上方が先端側に少し長くなるようにそれぞれ設け、刃先部１８を上下方向から支持固定している。そのため、把持した力が確実に加熱刃４に印加され、かつ、力を加え過ぎても加熱刃が変形し難い。
【００５４】
また、ヒータ側コネクタ１５はヒータカバー１７に設けたヒータ側コネクタ受け１６と着脱自在に構成されているので、各種の動物の尾の違いに対応した加熱刃４に取り替えたり、幾多の断尾により刃が劣化して加熱刃４を交換したり、電気ヒータ２５が断線してしまった時は、この刃先部１８を付け替えることができる。
【００５５】
なお、加熱刃４は熱の伝導が良く、熱容量も大きくする必要があるため、材質は銅または銅合金とし、高温に曝され酸化したり、血や脂で腐食するのを防止するため、その表面にニッケルメッキ、ニッケルクロムメッキを施したものがよい。
【００５６】
また、図３に示すように、鞘体からつながるコードは、把持部１に近い所に入・切スイッチ８を設け、更に伸縮自在のコード９を介して電池側コネクタ１２につながる。この入・切スイッチ８により、作業をしない時の電池の消耗を無くし、異常時の安全対策として直ぐに電源をＯＦＦすることができる。
【００５７】
また、切断する部位が太い場合などには加熱刃４の温度を高温にする必要があったり、逆に加熱刃４の温度が低くても切断できる場合がある。この場合、加熱刃４の温度を検出する温度検出手段と、加熱刃４の温度を作業者が所望する値に設定できる設定ダイヤルなどを有し供給電源のＯＮ／ＯＦＦを制御して加熱刃の温度を設定された温度に調整する加熱刃温度制御手段を設けることによって、所望の温度範囲で切断作業ができる。
【００５８】
蓄電池１０が放電し、充電が必要となった時は、蓄電池１０を充電器（図示せず）の近傍に置き、電池コネクタ受け１３を充電器に接続して、充電を行うことができる。
【産業上の利用可能性】
【００５９】
ヒータによって加熱された刃によって切断するので、止血・消毒ができ、動物の尾の切断だけで無く、動物の爪や鳥のくちばしなど他の部位の切断などにも適用できる。
【図面の簡単な説明】
【００６０】
【図１】本発明の実施の形態１の動物用断尾器を示す全体図
【図２】同把持部側面図
【図３】同鞘体側面図
【図４】同鞘体鳥瞰図
【図５】同刃先部側面図
【図６】同刃先部とカッターガイドの詳細断面図
【図７】従来の動物用断尾器の平面図
【図８】同加熱刃断面図
【符号の説明】
【００６１】
１  把持部
２  第１レバー
２′第１握り部
３  第２レバー
３′第２握り部
４  加熱刃
５  刃受け部
６  軸
７  グリップ
８  入・切スイッチ
９  コード
１０  蓄電池
１１  クリップ
１２  電池側コネクタ
１３  電池コネクタ受け
１４  コードブッシング
１５  ヒータ側コネクタ
１６  ヒータ側コネクタ受け
１７  ヒータカバー
１８  刃先部
１９  サーモラベル
２０  カッターガイド
２１  キャップ
２２  突起
２３  溝
２４  固定金具
２５  電気ヒータ
２６  ヒータ埋込鞘
２７  ヒータ線
２８  保護チューブ
２９  固定ねじ
３０  ガイド
１０１  把持部
１０２  加熱刃取付部
１０３  加熱刃
１０４  電熱ヒーター
１０６  本体
１０７  回転軸
【図１】
2006109887.tif 000003
【図２】
2006109887.tif 000004
【図３】
2006109887.tif 000005
【図４】
2006109887.tif 000006
【図５】
2006109887.tif 000007
【図６】
2006109887.tif 000008
【図７】
2006109887.tif 000009
【図８】
2006109887.tif 000010